(57)【要約】【課題】  可動体の敏捷な動作に対応可能で、且つ可動体の駆動機構部が簡素化される遊技機用演出装置を提供する。【解決手段】  可動体を駆動する機構部をユニット化して演出装置と独立した可動体駆動ユニットを形成し、該可動体駆動ユニット２のユニットベース８に機構部の各構成要素を収容した。これにより、構造が簡素化されて組付時及びメンテナンス時における作業性を向上させることができる。また、一対のプーリに張設されたプーリベルトによって可動体が一直線に沿って動作（移動）されるので、従来のパチンコ機に対して摺動部の摺動抵抗が極めて小さく、可動体を敏捷に動作させることが可能になり、当該可動体駆動ユニット２を多様な演出態様に対応させることができる。【選択図】  図１
2007089990.tif 000002
【特許請求の範囲】
【請求項１】
遊技の状況に応じて可動体が動作されて遊技が演出される遊技機用演出装置であって、前記可動体を駆動する機構部がユニット化されて構成され、前記演出装置と独立した可動体駆動ユニットを具備することを特徴とする遊技機用演出装置。
【請求項２】
前記可動体駆動ユニットは、前記可動体が着脱可能に取付けられる可動体ベースと、該可動体ベースが一直線に沿って案内される案内機構と、所定軸間距離で配置されるプーリ対と該プーリ対に張設されて前記可動体ベースが接続されるプーリベルトとから構成され、少なくとも一方の前記プーリに駆動源の駆動力が入力されることにより前記プーリベルトを介して前記可動体が駆動される駆動力伝達機構と、遊技盤に設置されるセット板に着脱可能に取付けられ、前記可動体ベース、前記案内機構、前記駆動力伝達機構及び前記駆動源が設けられるユニットベースと、を具備することを特徴とする請求項１に記載の遊技機用演出装置。
【請求項３】
前記ユニットベースは、前記可動体、前記案内機構及び前記駆動力伝達機構が収容される箱状に形成され、且つ、各プーリの直下の部分を除く各面に複数個の貫通孔が形成されることを特徴とする請求項１又は２に記載の遊技機用演出装置。
【請求項４】
前記ユニットベースは、各面の前記貫通孔のうち、選択された面の前記貫通孔の内径寸法が、遊技球の外径寸法よりも小さく形成されることを特徴とする請求項１〜３のいずれかに記載の遊技機用演出装置。
【発明の詳細な説明】
【技術分野】
【０００１】
本発明は、遊技機用演出装置に関するものであって、特に、遊技を演出するための可動体を備える遊技機用演出装置に関する。
【背景技術】
【０００２】
従来から、図柄表示装置の表示に連動して動作（移動）する可動体によって遊技が演出される演出装置（センター役物）を備えるパチンコ機（遊技機）が知られている。例えば、特許文献１に記載のパチンコ機（以下、従来のパチンコ機と称する。）は、図柄を可変表示し得る図柄表示装置の表示面に対して所要距離だけ離間して配設されて、図柄表示装置での遊技演出に合わせて発光し得る長尺な棒状の第１及び第２移動部材と、各移動部材に接続した第１及び第２駆動伝達手段と、各駆動伝達手段に接続されて、各移動部材を表示面の前方において所要方向へ移動させる第１及び第２駆動モータと、によって構成される可動演出装置を備える。これにより、図柄表示装置の表示面の前面を移動部材が移動して立体的な演出が可能になり、演出態様の多様化を図ることができる。ところで、上記従来のパチンコ機では、移動部材（可動体）を駆動させる機構部の各構成要素が、機種毎に製作される可動演出装置の枠体の各々の取付位置に直接固定されるため、駆動機構部を可動演出装置から取り外す場合には、当該駆動機構部の各構成要素を個別に取り外す必要がある。
【０００３】
したがって、上記従来のパチンコ機では、上記可動演出装置の駆動機構部の他機種への再利用が極めて困難であるため、新機種への移行の際には旧機種の駆動装置が廃棄されており、資源の再利用、延いては製造コストの削減が課題であった。また、上記従来のパチンコ機では、上記可動演出装置の駆動機構部の構造が煩雑であるため、当該可動演出装置の組付時及びメンテナンス時における作業性が極めて悪く、多くの時間と手間とを要していた。さらに、上記従来のパチンコ機では、棒状部材の外周面に形成した螺旋状の溝に摺動部材の突部及び突起部材を摺接させた状態で当該棒状部材を回転させて移動部材を動作（移動）させるため、摺動部が摩耗してしまい、部品のライフサイクル（メンテナンスサイクル）が短いといった問題がある。また、上記従来のパチンコ機では、摺動部における摺動抵抗が比較的大きいため、移動部材（可動体）を敏捷に動作させることができず、多様な演出態様に対応させることができなかった。
【特許文献１】特開２００５−３４６３２公報（段落番号００１８〜００４０、図１２、図１５、図１８、図１９）
【発明の開示】
【発明が解決しようとする課題】
【０００４】
そこで本発明は、上記事情に鑑みてなされたもので、可動体の敏捷な動作に対応可能で、且つ可動体の駆動機構部が簡素化される遊技機用演出装置を提供することを目的とする。
【課題を解決するための手段】
【０００５】
上記目的を達成するために、本発明のうち請求項１に記載の発明は、遊技の状況に応じて可動体が動作されて遊技が演出される遊技機用演出装置であって、可動体を駆動する機構部がユニット化されて構成され、演出装置と独立した可動体駆動ユニットを具備することを特徴とする。
【０００６】
上記可動体駆動ユニットは、可動体が着脱可能に取付けられる可動体ベースと、該可動体ベースが一直線に沿って案内される案内機構と、所定軸間距離で配置されるプーリ対と該プーリ対に張設されて可動体ベースが接続されるプーリベルトとから構成され、少なくとも一方のプーリに駆動源の駆動力が入力されることによりプーリベルトを介して可動体が駆動される駆動力伝達機構と、遊技盤に設置されるセット板に着脱可能に取付けられ、可動体ベース、案内機構、駆動力伝達機構及び駆動源が設けられるユニットベースと、を具備することを特徴とする。
【０００７】
上記ユニットベースは、可動体、案内機構及び駆動力伝達機構が収容される箱状に形成され、且つ、各プーリの直下の部分を除く各面に複数個の貫通孔が形成されることを特徴とする。
【０００８】
上記ユニットベースは、各面の貫通孔のうち、選択された面の貫通孔の内径寸法が、遊技球の外径寸法よりも小さく形成されることを特徴とする。
【０００９】
したがって、請求項１に記載の発明では、可動体を駆動する機構部がユニット化されて演出装置と独立して構成される。
請求項２に記載の発明では、ユニットベースがセット板に対して着脱可能であるため、可動体駆動ユニットを他機種の遊技機に容易に流用することが可能になる。また、プーリとプーリベルトとによって駆動源の駆動力が可動体（可動体ベース）に伝達されるため、摺動抵抗を小さくすることが可能になり、可動体の敏捷な動作（移動）に対応させることができる。
請求項３に記載の発明では、可動体駆動ユニットを軽量化することが可能になる。また、各プーリの直下には貫通孔を形成しないため、各プーリとプーリベルトとの摩擦によって生成されるベルトの摩耗粉が周辺に飛散することがない。
請求項４に記載の発明では、遊技球の通路に臨む面の貫通孔の内径寸法を遊技球の外径寸法よりも小さく形成することにより、駆動ユニット内への遊技球の侵入を防ぐことができる。
【発明の効果】
【００１０】
可動体の敏捷な動作に対応可能で、且つ可動体の駆動機構部が簡素化される遊技機用演出装置を提供することができる。
【発明を実施するための最良の形態】
【００１１】
本発明の一実施の形態を図１〜図７に基づいて説明する。本遊技機用演出装置２１は、パチンコ機の遊技盤２２にセンター役物として設けられて、図柄表示装置２３の表示に連動させて可動体１を水平方向へ往復移動させることにより遊技が演出されるものであって、上記可動体１を駆動する機構部をユニット化して当該演出装置２１と独立した可動体駆動ユニット２としたことにより、上記可動体１を駆動する機構部（可動体駆動ユニット２）がセット板３に一体で着脱される構造になっている。図７に示されるように、上記遊技盤２２の盤面上には、円弧状のレール２４が取付けられ、該レール２４の内側には、遊技領域２５が形成される。そして、図示しないハンドルの操作によって発射された遊技球が上記レール２４によって案内されて盤面の左側上部から上記遊技領域２５へ送り込まれる構造になっている。
【００１２】
また、図７に示されるように、上記遊技盤２２の盤面の略中央には、液晶表示器等によって構成される上記図柄表示装置２３が設けられる。さらに、上記遊技盤２２の盤面には、上記図柄表示装置２３の下方に始動入賞口２６が設けられると共に、該始動入賞口２６の直下に大入賞口２７が設けられる。その他、上記遊技盤２２の盤面には、入賞口２８〜３１、並びにランプ等が設けられる。そして、上記大入賞口２７は、開放動作時に、他の入賞口２８〜３１よりも入賞が著しく容易な形態になる（本実施の形態では、当該大入賞口２７を覆う可動部材３３が開かれた状態になる）ように構成される。なお、上記遊技盤２２の盤面の遊技領域２５の最下部には、入賞しなかった遊技球が入球するアウト口３２が設けらる。また、上記遊技盤２２の盤面は透明ガラス板によって覆われており、遊技球が上記遊技領域２５から離脱するのが阻止される。
【００１３】
図３及び４に示されるように、上記可動体駆動ユニット２は、可動体１が着脱可能に取付けられる可動体ベース４と、該可動体ベース４が一直線に沿って案内される案内機構５と、モータ６（駆動源）の駆動力を可動体１に伝達させる駆動力伝達機構７と、上記セット板３に着脱可能に取付けられて、上記可動体ベース４、案内機構５、駆動力伝達機構７及びモータ６が設けられるユニットベース８と、から構成される。なお、上記セット板３は、上記遊技盤２２（図７参照）の裏面（盤面に対して反対側の面）の所定位置に取付けられ、当該セット板３には、上記図柄表示装置２３が取付けられる。また、本遊技機用演出装置２１において、上記可動体１を駆動する機構部をユニット化するとは、上記ユニットベース８に各構成要素（案内機構５及び駆動力伝達機構の各構成要素）が収容されて一体化されることをいう。上記ユニットベース８は、金属板（本実施の形態では、亜鉛めっき鋼板）を打抜き加工及び曲げ加工することにより、左右方向（図４における左右方向）に延びて上側（図４における上側）の面が開口した箱形状に形成される。
【００１４】
また、図３及び図４に示されるように、上記ユニットベース８の各面８ａ〜８ｅには、軽量化を図るための複数個の貫通孔９，１０が形成される。さらに、上記ユニットベース８は、上記セット板３に固定される面８ａ（以下、被取付面８ａと称する。）の左右両側に取付片１１が形成されており、各取付片１１に形成された各取付孔１１ａに各ねじ１２を挿通させて、該各ねじ１２を上記セット板３に形成された各ねじ孔（図示せず）に螺合して締付けることにより、各取付片１１が上記セット板３に固定されて当該ユニットベース８が上記セット板３の所定位置に取付けられる構造になっている。なお、上記ユニットベース８の各面８ａ〜８ｅのうち、上記被取付面８ａに設けられる貫通孔９は、その内径寸法が遊技球の外径寸法よりも大きく形成されると共に、他の４面８ｂ〜８ｅに設けられる貫通孔１０は、その内径寸法が遊技球の外径寸法よりも大きく形成される。
【００１５】
また、図３に示されるように、上記ユニットベース８には開口窓１３が形成され、該開口窓１３を利用することにより、上記可動体駆動ユニット２内の清掃や上記案内機構５及び駆動力伝達機構７の調整等が行われる構造になっている。図５及び図６に示されるように、上記案内機構５は、左右方向（パチンコ機における左右方向であって、図５及び図６における左右方向）に延びて上記ユニットベース８（図３参照）の対向する一対の面８ｄ，８ｅ間に並列に架設される一対のガイドレール１４と、該一対のガイドレール１４によって左右方向に案内されるスライドベース１５と、を備え、該スライドベース１５に、上記可動体１が着脱可能に取付される可動体ベース４が装着される。上記駆動力伝達機構７は、プーリ軸１６ａ，１７ａが鉛直方向に向けられると共に上記ユニットベース８によって回転可能に支持される一対のプーリ１６，１７と、該一対のプーリ１６，１７に所定の張力で張設されるプーリベルト１８と、を備え、上記スライドベース１５に形成された突出部１５ａを上記プーリベルト１８に係合させる（突出部１５ａに形成した溝部でプーリベルト１８を挟持する）ことにより、上記スライドベース１５が上記プーリベルト１８に固定される構造になっている。
【００１６】
また、各プーリ１６，１７の各プーリ軸１６ａ，１７ａにはプーリキア１６ｂ，１７ｂが設けられており、一方のプーリ１６のプーリ軸１６ａに設けられるプーリギア１６ｂには、上記ユニットベース８の下面８ｂに取付けられるモータ６のスピンドルに装着されるモータギア１９が噛合わされる。そして、本遊技機用演出装置２１では、マイクロコンピュータによって構成される制御装置の制御に基づいて上記モータ６（本実施の形態では、ステッピングモータ６。）が作動されることにより、上記モータ６ギア、上記プーリギア１６ｂ及び上記プーリ軸１６ａを介して上記プーリ１６が回転駆動されて、上記一対のプーリ１６，１７に張設された上記プーリベルト１８が平面視（図６における紙面視）で時計回り方向又は反時計回り方向へ駆動される。そして、上記スライドベース１５が上記一対のガイドレール１４に案内されて指定された方向へ移動されることにより、上記可動体１が上記図柄表示装置２３の表示に連動して左右方向（図２における左右方向）へ動作（移動）する構造になっている。
【００１７】
次に、本遊技機用演出装置２１の作用を説明する。制御装置の制御に基づいてモータ６（駆動源）が作動されることにより、モータギヤ１９、プーリギア１６ｂ、プーリ軸１６ａを介してプーリ１６が回転駆動されて、一対のプーリ１６，１７に張設されたプーリベルト１８が平面視（図６における紙面視）で時計回り方向又は反時計回り方向へ駆動される。例えば、プーリベルト１８が平面視（図６における紙面視）で時計回り方向へ駆動された場合、スライドベース１５が一対のガイドレール１４に案内されて左方向（図５及び図６における左方向）へ移動して、これにより、可動体１が左方向（図７におけるＡ方向）へ移動する。このように、本遊技機用演出装置２１では、可動体１（本実施の形態では、スコープ。）が、図７に示される図柄表示装置２３の前方を、当該図柄表示装置２３の表示に連動して動作（移動）する。そして、本遊技機用演出装置２１では、可動体駆動ユニット２を再利用する場合、ユニットベース８をセット板３に対して着脱することにより、当該可動体駆動ユニット２が一体でセット板３に対して容易に着脱される。
【００１８】
この実施の形態では以下の効果を奏する。
本遊技機用演出装置２１では、可動体１を駆動する機構部をユニット化して当該演出装置２１と独立した可動体駆動ユニット２としたので、当該可動体駆動ユニット２を一体でセット板３に対して容易に着脱させることが可能になる。したがって、本遊技機用演出装置２１では、可動体駆動ユニット２の多機種への流用が容易になり、可動体駆動ユニット２を再利用することで製造コストが削減されて、延いて産業廃棄物が削減されて資源を有効利用することができる。また、本遊技機用演出装置２１では、可動体駆動ユニット２の各構成要素（案内機構５及び駆動力伝達機構の各構成要素）がユニットベース８に収容されるので、構造が簡素化されて組付時及びメンテナンス時における作業性を向上させることができる。
【００１９】
また、本遊技機用演出装置２１では、一対のプーリ１６，１７に張設されたプーリベルト１８によって可動体１が一直線に沿って動作（移動）されるので、従来のパチンコ機に対して摺動部の摺動抵抗が極めて小さく、部品のライフサイクル（メンテナンスサイクル）を延長させることができると共に、可動体を敏捷に動作させることが可能になり、当該可動体駆動ユニット２を多様な演出態様に対応させることができる。
【００２０】
また、本遊技機用演出装置２１では、ユニットベース８の各面８ａ〜８ｅに貫通孔９，１０が形成されるので、可動体駆動ユニット２が軽量化される。さらに、各プーリ１６，１７の直下の部分に貫通孔１０を設けていないため、各プーリ１６，１７とプーリベルト１８との摩擦によって生成される当該ベルト１８の摩耗粉が周辺に飛散して遊技球等に付着することが防がれる。また、ユニットベース８の遊技球に臨む面（本実施の形態では、面８ｂ〜８ｅ。）に形成される貫通孔１０の内径寸法を遊技球の外径寸法よりも小さく形成したので、遊技球が当該貫通孔１０からユニットベース８内へ侵入することがなく、侵入した遊技球が可動体駆動ユニット２の案内機構５や駆動力伝達機構７に噛み込むこと（玉噛み）による動作不良を防ぐことができる。
【００２１】
なお、実施の形態は上記に限定されるものではなく、例えば次のように構成してもよい。
本遊技機用演出装置２１では、ユニットベース８を鋼板によって形成したが、プラスチックによって形成してもよい。この場合、よりいっそうの軽量化が期待できる。
本遊技機用演出装置２１では、可動体１が水平方向へ移動されるが、可動体１を鉛直方向或いは斜め方向へ移動させるように遊技機用演出装置２１を構成してもよい。
【図面の簡単な説明】
【００２２】
【図１】可動体駆動ユニットの取付状態を示すセット板を背面側からの斜視図である。
【図２】可動体駆動ユニットの取付状態を示すセット板の背面図である。
【図３】可動体及び可動体駆動ユニットの斜視図である。
【図４】可動体及び可動体駆動ユニットの正面図である。
【図５】ユニットベースを除く可動体駆動ユニットの正面図である。
【図６】ユニットベースを除く可動体駆動ユニットの平面図である。
【図７】本遊技機用演出装置の説明図であって、遊技盤の斜視図である。
【符号の説明】
【００２３】
１  可動体、２  可動体駆動ユニット（可動体を駆動する機構部）、３  セット板、４  可動体ベース、５  案内機構、６  モータ（駆動源）、７  駆動力伝達機構、８  ユニットベース、９，１０  貫通孔、１４  ガイドレール、１５  スライドベース、１６，１７  プーリ、１８  プーリベルト
【図１】
2007089990.tif 000003
【図２】
2007089990.tif 000004
【図３】
2007089990.tif 000005
【図４】
2007089990.tif 000006
【図５】
2007089990.tif 000007
【図６】
2007089990.tif 000008
【図７】
2007089990.tif 000009